(57)【特許請求の範囲】
【請求項１】
自動車用部品を保持し、内装材の内装穴を通してパネルのパネル穴に取り付く自動車用部品の取付装置において、
前記取付装置は、
前記部品を保持し、前記内装穴を通して前記パネル穴に挿入されるグロメットと、
前記グロメット内に着脱可能に挿入されるピンとを備え、
前記グロメットは、
前記内装穴より大きい鍔部と、
前記鍔部から延び、前記内装穴を通して前記パネル穴にはまり込む筒部と、
前記鍔部から前記筒部に一連に形成された挿入穴と、
前記挿入穴から外側に向かって弾性的に突出し、前記鍔部との間で前記パネルを保持する弾性爪と、
前記筒部の高さの途中から張り出し、前記鍔部との間で前記内装材を保持する仮止め部とを備え、
前記ピンは、
前記挿入穴より大きい頭部と、
前記頭部から延び、前記挿入穴内に挿入されることで、前記弾性爪が前記挿入穴に向かって撓み込むのを阻止する脚部とを備え、
前記グロメットには、
前記自動車用部品の一端部に位置し、前記仮止め部を有する第１のグロメットと、
前記自動車用部品の他端部に位置し、前記仮止め部を有していない第２のグロメットとを備え、
前記内装穴には、
前記第１のグロメットを挿入する第１の内装穴と、
前記第２のグロメットを挿入する第２の内装穴とを備え、
前記第１のグロメットの前記筒部及び前記仮止め部を、前記第１の内装穴に合わせて挿入し、当該内装穴を中心に前記自動車部品を回転させ、前記第２のグロメットを前記第２の内装穴に合わせて挿入することで、前記自動車部品を前記第１、第２の内装穴に仮止めすることを特徴とする自動車用部品の取付装置。
【請求項２】
前記内装穴は、
長方形を成し、
前記仮止め部は、
前記内装穴より小さい長方形に張り出していることを特徴とする請求項１に記載の自動車用部品の取付装置。
【請求項３】
前記仮止め部は、
前記筒部の外面から弾性的に突出していることを特徴とする請求項１又は請求項２に記載の自動車用部品の取付装置。
【請求項４】
前記鍔部と前記頭部との間には、
ドライバーを差し込み可能な差込溝を備えていることを特徴とする請求項１〜３のいずれか１項に記載の自動車用部品の取付装置。
【請求項５】
前記グロメットと前記ピンとの間には、
前記ピンの前記脚部を前記グロメットの前記挿入穴に浅く挿入した状態で、互いにはまり合い、前記脚部が前記挿入穴から抜けるのを阻止し、前記弾性爪が前記挿入穴に向かって撓み込むのを許容する仮止め用の凹凸部と、
前記脚部を前記挿入穴に深く挿入した状態で、互いにはまり合い、前記脚部が前記挿入穴から抜けるのを阻止し、前記弾性爪が前記挿入穴に向かって撓み込むのを阻止する本止め用の凹凸部とを備えていることを特徴とする請求項１〜４のいずれか１項に記載の自動車用部品の取付装置。
【発明の詳細な説明】
【０００１】
【発明の属する技術分野】
この発明は、例えばアシストグリップ等の自動車用部品を、ヘッドライニング等の内装材とともに、車体側のパネルに取り付けるための取付装置に関し、特に部品を内装材に仮止めすることができるようにしたものである。
【０００２】
【従来の技術】
従来は、ヘッドライニング等の内装材を、車体側のパネルに取り付けた後、部品をねじを使用してパネルに取り付けていた。
【０００３】
【発明が解決しようとする課題】
しかし、上記した従来の取付構造では、部品をねじ止めしていたので、取付工数が多いという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、部品を内装材及びパネルに仮止めすることができるようにしたものである。
【０００４】
また、請求項１に記載の発明は、グロメットにピンを挿入することで、パネルに本止めできるばかりでなく、ピンを引き抜くことで、パネルから部品を取り外すことができるようにしたものである。
（請求項２）
請求項２に記載の発明は、上記した請求項１に記載の発明の目的に加え、次の点を目的とする。
【０００５】
すなわち、請求項２に記載の発明は、グロメットを回転させることで、内装材の内装穴からのグロメットの抜けを防止することができるようにしたものである。
（請求項３）
請求項３に記載の発明は、上記した請求項１又は請求項２に記載の発明の目的に加え、次の点を目的とする。
【０００６】
すなわち、請求項３に記載の発明は、グロメットを内装材にワンタッチで仮止めすることができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、ドライバーを使用して、ピンを容易に引き抜くことができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、ピンをグロメットに仮止めすることができるようにしたものである。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１０】
また、図面番号も、発明の実施の形態において用いた図番を示し、本発明の技術的範囲を限定するものではない。
（請求項１）
請求項１に記載の発明は、次の点を特徴とする。
第一に、取付装置(10)は、例えば図１に示すように、グロメット(50)と、ピン(60)とを備える。
【００１１】
グロメット(50)は、例えば図２に示すように、部品（例えばアシストグリップ20）を保持し、内装穴(31)を通してパネル穴(41)に挿入されるものである。
なお、自動車用部品として、例えばアシストグリップ(20)を例示したが、これに限らず、ルームランプ、サンバイザーホルダー、ハンガーフック、ルーフコンソール（小物入れ）等でも良い。
【００１２】
前記ピン(60)は、グロメット(50)内に着脱可能に挿入されるものである。
第二に、グロメット(50)は、例えば図１に示すように、鍔部(70)と、筒部(80)と、挿入穴(90)と、弾性爪(81〜82)と、仮止め部(100)とを備える。
上記鍔部(70)は、内装穴(31)より大きいものである。
前記筒部(80)は、鍔部(70)から延び、内装穴(31)を通してパネル穴(41)にはまり込むものである。
【００１３】
前記挿入穴(90)は、鍔部(70)から筒部(80)に一連に形成されたものである。
前記弾性爪(81〜82)は、挿入穴(90)から外側に向かって弾性的に突出し、鍔部(70)との間でパネル(40)を保持するものである。
前記仮止め部(100)は、筒部(80)の高さの途中から張り出し、鍔部(70)との間で内装材(30)を保持するものである。
【００１４】
第三に、ピン(60)は、例えば図１に示すように、頭部(61)と、脚部(62)とを備える。
上記頭部(61)は、挿入穴(90)より大きいものである。
前記脚部(62)は、頭部(61)から延び、挿入穴(90)内に挿入されることで、弾性爪(81〜82)が挿入穴(90)に向かって撓み込むのを阻止するものである。
【００１５】
第四に、グロメットには、例えば図２及び図２２に示すように、次の構成を備える。
（１）第１のグロメット(50,410)
第１のグロメット(50,410)は、例えば図２及び図２２に示すように、自動車用部品（アシストグリップ20）の一端部に位置し、仮止め部(100,100d)を有するものである。
【００１６】
（２）第２のグロメット(51)
第２のグロメット(51)は、例えば図２に示すように、自動車用部品（アシストグリップ20）の他端部に位置し、前記仮止め部(100,100d)を有していないものである。
第五に、内装穴には、例えば図２及び図２２に示すように、次の構成を少なくとも備える。
【００１７】
（１）第１の内装穴(31,31d)
第１の内装穴(31,31d)は、例えば図２及び図２２に示すように、第１のグロメット(50,410)を挿入するものである。
（２）第２の内装穴(32,32d)
第２の内装穴(32,32d)は、例えば図２に示すように、第２のグロメット(50)を挿入するものである。
【００１８】
第六に、第１のグロメット(50,410)の筒部(80)及び仮止め部(100,100d)を、図４及び図２５に示すように、第１の内装穴(31,31d)に合わせて挿入し、当該内装穴(31,31d)を中心に自動車部品（アシストグリップ20）を回転させ、第２のグロメット(51)を第２の内装穴(32,32d)に合わせて挿入することで、自動車部品（アシストグリップ20）を第１、第２の内装穴(31,31d,32,32d)に仮止めする。
（請求項２）
請求項２に記載の発明は、上記した請求項１に記載の発明の特徴点に加え、次の点を特徴とする。
【００１９】
第一に、内装穴(31)は、例えば図２に示すように、長方形を成している。
第二に、仮止め部(100)は、例えば図１に示すように、内装穴(31)より小さい長方形に張り出している。
（請求項３）
請求項３に記載の発明は、上記した請求項１又は請求項２に記載の発明の特徴点に加え、次の点を特徴とする。
【００２０】
すなわち、仮止め部(242)は、例えば図６に示すように、筒部(241)の外面から弾性的に突出している
（請求項４）
請求項４に記載の発明は、上記した請求項１〜３のいずれか１項に記載の発明の特徴点に加え、次の点を特徴とする。
【００２１】
すなわち、鍔部（例えばアシストグリップ20b）と頭部(221)との間には、例えば図６に示すように、差込溝(223)を備えている。
上記差込溝(223)は、ドライバー（図示せず）を差し込み可能なものである。
なお、差込溝(223)をピン(220)の頭部(221)側に設けたが、これに限らず、例えば図１４に示すように、グロメット(310)の鍔部(311)に差込溝(317)を設けても良い。
（請求項５）
請求項５に記載の発明は、上記した請求項１〜４のいずれか１項に記載の発明の特徴点に加え、次の点を特徴とする。
【００２２】
すなわち、グロメット(210)とピン(220)との間には、例えば図８に示すように、仮止め用の凹凸部（例えば凹部224と凸部234）と、本止め用の凹凸部（例えば凹部225と凸部234）とを備えている。
仮止め用の凹凸部（例えば凹部224と凸部234）は、例えば図１０に示すように、ピン(220)の脚部(222)をグロメット(210)の挿入穴(233)に浅く挿入した状態で、互いにはまり合い、脚部(222)が挿入穴(233)から抜けるのを阻止し、弾性爪(232)が挿入穴(233)に向かって撓み込むのを許容するものである。
【００２３】
本止め用の凹凸部（例えば凹部225と凸部234）は、例えば図１２に示すように、脚部(222)を挿入穴(233)に深く挿入した状態で、互いにはまり合い、脚部(222)が挿入穴(233)から抜けるのを阻止し、弾性爪(232)が挿入穴(233)に向かって撓み込むのを阻止するものである。
【００２４】
【発明の実施の形態】
（図面の説明）
図１〜５は、本発明の実施の形態の一例を示すものである。
図１は、取付装置の分解斜視図、図２はアシストグリップの分解斜視図、図３は他方のグロメットを示す分解斜視図、図４は内装材に対するアシストグリップの取付手順を示す平面図、図５は内装材に対する取付装置の取付状態を示す斜視図をそれぞれ示すものである。
【００２５】
図６〜１３は、本発明の第二の実施の形態の一例を示すものである。
図６は、取付装置の分解斜視図、図７はアシストグリップの斜視図をそれぞれ示すものである。
図８は、図７のＸ−Ｘ線に沿う分解断面図、図９は図７のＹ−Ｙ線に沿う分解断面図をそれぞれ示すものである。
【００２６】
図１０は、図７のＸ−Ｘ線に沿う取付途中の断面図、図１１は図７のＹ−Ｙ線に沿う取付途中の断面図をそれぞれ示すものである。
図１２は、図７のＸ−Ｘ線に沿う断面図、図１３は図７のＹ−Ｙ線に沿う断面図をそれぞれ示すものである。
図１４〜２１は、本発明の第三の実施の形態の一例を示すものである。
【００２７】
図１４は、取付装置の分解斜視図、図１５はアシストグリップの斜視図をそれぞれ示すものである。
図１６は、図１５のＸ−Ｘ線に沿う分解断面図、図１７は図１５のＹ−Ｙ線に沿う分解断面図をそれぞれ示すものである。
図１８は、図１５のＸ−Ｘ線に沿う取付途中の断面図、図１８は図１５のＹ−Ｙ線に沿う取付途中の断面図をそれぞれ示すものである。
【００２８】
図２０は、図１５のＸ−Ｘ線に沿う断面図、図２１は図１５のＹ−Ｙ線に沿う断面図をそれぞれ示すものである。
図２２〜２５は、本発明の第四の実施の形態の一例を示すものである。
図２２は、アシストグリップの一部斜視図、図２３は取付装置の取付状態を示す断面図、図２４はピンの取り外し状態を示す一部斜視図、図２５は内装材に対するアシストグリップの取付手順を示す平面図をそれぞれ示すものである。
（取付装置10）
図中、10は、取付装置を示すものである。
【００２９】
上記取付装置10は、図２に示すように、自動車用部品としてのアシストグリップ20を、ヘッドライニング等の内装材30とともに、車体側のルーフ等のパネル40に取り付けるためのものである。
なお、部品は、アシストグリップに限らず、ルームランプ、サンバイザーホルダー、ハンガーフック、ルーフコンソール（小物入れ）等でも良い。
【００３０】
上記アシストグリップ20は、図２に示すように、全体がコ字形に屈曲している。そして、アシストグリップ20の両端部は、回転軸21を介して取付装置10に回転可能に支持される。
前記内装材30には、図２に示すように、表裏面に貫通する２個の方形の内装穴31〜32を設けている。２個の内装穴31〜32のうち、一方の内装穴31は、上下に長い長方形に形成され、他方の内装穴32は正方形に形成されている。
【００３１】
前記パネル40には、図２に示すように、表裏面に貫通する２個の方形のパネル穴41を設けている。２個のパネル穴41は、正方形の内装穴32にほぼ等しい形状に形成されている。
具体的には、取付装置10は、図１に示すように、大別すると、次の部分を備える。
【００３２】
（１）グロメット50〜51
（２）ピン60
なお、取付装置10は、上記した（１）〜（２）に限定されない。
（グロメット50〜51）
各グロメット50〜51は、図１及び図３に示すように、大別すると、次の部分を備える。
【００３３】
（１）鍔部70
（２）筒部80
（３）挿入穴90
なお、グロメット50〜51は、上記した（１）〜（３）に限定されない。
また、２個のグロメット50〜51のうち、一方のグロメット50には、次の部分を備える。
【００３４】
（４）仮止め部100
（ピン60）
ピン60は、図１及び図３に示すように、２個のグロメット50〜51に共通に使用されている。
具体的には、ピン60は、図１に示すように、大別すると、次の部分を備える。
【００３５】
（１）頭部61
（２）脚部62
なお、ピン60は、上記した（１）〜（２）に限定されない。
（グロメット50〜51の鍔部70）
鍔部70は、図１及び図３に示すように、方形に形成され、内装穴31〜32より大きい外形を有する。また、鍔部70は、アシストグリップ20の回転軸21を支持する一対の軸受部71を設けている。
（グロメット50〜51の筒部80）
筒部80は、図１及び図３に示すように、鍔部70から延び、内装材30の内装穴31〜32を通してパネル40のパネル穴41にはまり込むものである。
【００３６】
具体的には、一方のグロメット50の筒部80の外形は、図４に示すように、長方形の内装穴31内において回転できる大きさに設定されている。
そして、筒部80は、図１及び図３に示すように、角筒形を成し、鍔部70から挿入穴90が一連に形成されている。
また、筒部80の四方の側壁には、図１及び図３に示すように、計４個の弾性爪81〜82が形成されている。
【００３７】
上記各弾性爪81〜82は、図１及び図３に示すように、挿入穴90から外側に向かって、樹脂の弾性を利用して、弾性的に突出し、鍔部70との間でパネル40を保持するものである。
なお、一方のグロメット50では、仮止め部100があることから、各弾性爪81〜82は、仮止め部100との間でパネル40を保持している。
【００３８】
具体的には、各弾性爪81〜82は、図１及び図３に示すように、筒部80の四方の各側壁をコ字形に切り欠いて形成している。そして、４個の弾性爪81〜82のうち、背向する一対の弾性爪81には、挿入穴90の開口面に向かって延びる解除片93をそれぞれ設けている。
（グロメット50の仮止め部100）
仮止め部100は、図１に示すように、筒部80の高さの途中から張り出し、鍔部70との間で内装材30を保持するものである。
【００３９】
具体的には、仮止め部100は、図１に示すように、鍔部70と離れて対向し、筒部80の外面から長方形状に張り出し、その外形が内装材30の長方形の内装穴31にはまり込む大きさに形成されている。
そして、仮止め部100と鍔部70との間隔は、内装材30の板厚にほぼ一致させている。
（ピン60の頭部61）
頭部61は、図１及び図３に示すように、方形に形成され、挿入穴90より大きい外形を有する。
（ピン60の脚部62）
脚部62は、図１及び図３に示すように、頭部61から延び、挿入穴90内に挿入されることで、４個の弾性爪81〜82が挿入穴90に向かって撓み込むのを阻止するものである。
【００４０】
具体的には、脚部62は、図１及び図３に示すように、先端部が尖った矢印形に形成されている。
（使用方法）
つぎに、上記した構成を備えた取付装置10の使用方法について、以下に説明する。
【００４１】
まず、ピン60を、２個のグロメット50〜51の各挿入穴90にそれぞれ浅く挿入して、仮止めする。
つぎに、２個のグロメット50〜51の軸受部71に、図２に示すように、回転軸21を通して、アシストグリップ20の両端部をそれぞれ回転可能に支持する。
その後、２個のグロメット50〜51のうち、一方のグロメット50の筒部80及び仮止め部100を、図４に示すように、内装材30の長方形の内装穴31に合わせて挿入する。
【００４２】
つぎに、アシストグリップ20を、図４に示すように、長方形の内装穴31を中心に旋回させる。
これにより、一方のグロメット50の仮止め部100が、図４に示すように、長方形の内装穴31から抜けなくなる。
その後、他方のグロメット51を、正方形の内装穴32に合わせて挿入する。
【００４３】
これにより、アシストグリップ20は、取付装置10を介して、内装材30の２個の内装穴31〜32に仮止めされる。
つぎに、内装材30の２個の内装穴31〜32から突出した２個のグロメット50〜51の筒部80を、パネル40の２個のパネル穴41に合わせて挿入する。
筒部80が挿入されると、その４個の弾性爪81〜82は、パネル穴41を通過時に、挿入穴90内に一旦、撓み込み、パネル穴41を通過後、樹脂の弾性力により復元する。
【００４４】
このため、４個の弾性爪81〜82が、パネル40の裏面に引っ掛かり、アシストグリップ20は、取付装置10を介して、パネル40の２個のパネル穴41に仮止めされる。
最後に、ピン60を２個のグロメット50〜51の各挿入穴90に、深く挿入する。これにより、４個の弾性爪81〜82が挿入穴90に向かって撓み込むのが阻止される。
【００４５】
このため、２個のグロメット50〜51が、パネル40の各パネル穴41から抜けなくなり、アシストグリップ20は、取付装置10を介して、パネル40の２個のパネル穴41に本止めされる。
なお、最後に、アシストグリップ20を取り付けるようにしても良い。
一方、アシストグリップ20を外すには、図示しないが、ピン60をマイナスのドライバーを使用して２個のグロメット50〜51から抜く。
【００４６】
つぎに、２個のグロメット50〜51の挿入穴90を通して、図示しないが、ラジオペンチ等の工具を使用して、２個の解除片93を摘むことで、２個の弾性爪81を挿入穴90に向かって撓み込ませる。
その後、筒部80を、パネル40の２個のパネル穴41から引き抜くことで、アシストグリップ20及び内装材30を、パネル40から取り外すことができる。
（第二の実施の形態）
つぎに、図６〜１３を用いて、本発明の第二の実施の形態について、以下に説明する。
【００４７】
本実施の形態の特徴は、図６に示すように、グロメット210の一部を、アシストグリップ20cに形成した点にある。
具体的には、取付装置200は、図６に示すように、大別すると、次の部分を備える。
（１）グロメット210
（２）ピン220
なお、取付装置200は、上記した（１）〜（２）に限定されない。
（グロメット210）
グロメット210は、図６に示すように、大別すると、次の部分を備える。
【００４８】
（１）グロメット本体230
（２）グロメット装着部240
なお、グロメット210は、上記した（１）〜（２）に限定されない。
（ピン220）
ピン220は、図６に示すように、大別すると、次の部分を備える。
【００４９】
（１）頭部221
（２）脚部222
なお、ピン220は、上記した（１）〜（２）に限定されない。
（グロメット本体230）
グロメット本体230は、図６に示すように、大別すると、次の部分を備える。
【００５０】
（１）枠部231
（２）弾性爪232
（３）挿入穴233
なお、グロメット本体230は、上記した（１）〜（３）に限定されない。
（グロメット装着部240）
グロメット装着部240は、アシストグリップ20bに設けられ、図６に示すように、大別すると、次の部分を備える。
【００５１】
（１）鍔部
（２）筒部241
（３）仮止め部242
（４）貫通穴243
なお、グロメット装着部240は、アシストグリップ20bに一体的に設けても良いし、或いは別体に設けても良い。また、グロメット装着部240は、上記した（１）〜（４）に限定されない。
（グロメット本体230の枠部231）
枠部231は、図６に示すように、内部に挿入穴233を有する方形の枠形に形成されている。
【００５２】
そして、枠部231の内面には、図８に示すように、仮止め及び本止め兼用の凹凸部、すなわち一対の凸部234を設けている。
なお、仮止め及び本止め兼用の凹凸部としては、凸部234に限らず、凹部でも良い。
（グロメット本体230の弾性爪232）
弾性爪232は、図６に示すように、枠部231の下面から左右一対延びている。
（グロメット装着部240の鍔部）
鍔部は、図６に示すように、アシストグリップ20bが兼ねている。
（グロメット装着部240の筒部241）
筒部241は、図６に示すように、アシストグリップ20bの下面から角筒形に延びている。
（グロメット装着部240の仮止め部242）
仮止め部242は、図６に示すように、筒部241の互いに背向する外側面から、樹脂の弾性を利用して、弾性的にそれぞれ突出している。
【００５３】
具体的には、両仮止め部242は、図６に示すように、筒部241の側壁をコ字形に切り欠いて形成している。
（グロメット装着部240の貫通穴243）
貫通穴243は、図８〜９に示すように、アシストグリップ20bから筒部241に一連に貫通し、貫通穴243の開放下面からは、図１０に示すように、挿入されたグロメット本体230の弾性爪232が突出するものである。
【００５４】
貫通穴243内には、図８及び図１０に示すように、一対の抜止部244を設けている。
両抜止部244は、図８に示すように、仮止め部242の無い筒部241の互いに背向する側壁にそれぞれ形成され、樹脂の弾性を利用して、両内側面から相対向して弾性的にそれぞれ突出している。
【００５５】
具体的には、両抜止部244は、仮止め部242と同様に、筒部241の側壁をコ字形に切り欠いて形成している。
（ピン220の頭部221）
頭部221は、図６に示すように、グロメット装着部240の貫通穴243の開放上面に適合し、図１２〜１３に示すように、当該開放上面を塞ぐものである。
（ピン220の脚部222）
脚部222は、図６に示すように、頭部221の下面から延びている。そして、脚部222の高さの途中には、仮止め用及び本止め用の凹凸部、すなわち２個の凹部224〜225を設けている。
【００５６】
上記２個の凹部224〜225のうち、下側の凹部224が、図１０に示すように、仮止め用で、上側の凹部225が、図１２に示すように、本止め用である。
なお、仮止め用及び本止め用の凹凸部としては、凹部224〜225に限らず、凸部でも良い。また、脚部222の上下に２個の凹部224〜225を設けたが、逆にグロメット本体230の枠部231の上下に凸部を設けても良い。
（使用方法）
つぎに、上記した構成を備えた取付装置200の使用方法について、以下に説明する。
【００５７】
まず、グロメット本体230を、図１０〜１１に示すように、グロメット装着部240の貫通穴243に合わせて挿入する。
グロメット本体230を挿入すると、図１０に示すように、一対の弾性爪232が貫通穴243から下方に突出する。また、貫通穴243中で、グロメット本体230の枠部231の上面に、一対の抜止部244がそれぞれ引っ掛かり、グロメット本体230が貫通穴243から上方に抜けなくなる。
【００５８】
つぎに、ピン220の脚部222を、図１０〜１１に示すように、貫通穴243を通して挿入穴233中に浅く挿入する。
脚部222を浅く挿入すると、図１０に示すように、その仮止め用の凹部224に、一対の凸部234がはまり込み、ピン220は、グロメット本体230を介して、アシストグリップ20bのグロメット装着部240に仮止めされる。
【００５９】
つぎに、グロメット装着部240の筒部241を、図１０〜１１に示すように、内装材30の内装穴31bに合わせて挿入する。
筒部241を挿入すると、その一対の仮止め部242は、内装穴31bを通過時に、貫通穴243内に一旦、撓み込み、内装穴31bを通過後、樹脂の弾性力により復元する。
【００６０】
このため、一対の仮止め部242が、図１１に示すように、内装材30の裏面に引っ掛かり、アシストグリップ20は、内装材30の内装穴31bに仮止めされる。
つぎに、内装穴31bから下方に突出した筒部241を、図１２〜１３に示すように、パネル40のパネル穴41bに合わせて挿入する。
筒部241を挿入すると、貫通穴243から下方に突出した一対の弾性爪232は、パネル穴41bを通過時に、挿入穴233内に一旦、撓み込み、パネル穴41bを通過後、樹脂の弾性力により復元する。
【００６１】
このため、一対の弾性爪232が、図１２に示すように、パネル40の裏面に引っ掛かり、アシストグリップ20bは、パネル40のパネル穴41bに仮止めされる。
最後に、ピン220を、図１２〜１３に示すように、貫通穴243を通して挿入穴233中に深く挿入する。これにより、一対の弾性爪232が挿入穴233に向かって撓み込むのが阻止される。
【００６２】
このため、グロメット本体230が、パネル40のパネル穴41bから抜けなくなり、アシストグリップ20bは、取付装置200を介して、パネル40のパネル穴41bに本止めされる。
なお、最後に、アシストグリップ20bを取り付けるようにしても良い。
一方、アシストグリップ20bを外すには、図示しないが、差込溝223からマイナスのドライバーを差し込み、ピン220をこじ上げて、その後、グロメット本体230を引き抜けば良い。
（第三の実施の形態）
つぎに、図１４〜２１を用いて、本発明の第三の実施の形態について、以下に説明する。
【００６３】
本実施の形態の特徴は、図１４に示すように、グロメット310に、ダンパー330を装着することができるようにした点にある。
具体的には、取付装置300は、図１４に示すように、大別すると、次の部分を備える。
（１）グロメット310
（２）ピン320
（３）ダンパー330
なお、取付装置300は、上記した（１）〜（３）に限定されない。
（グロメット310）
グロメット310は、図１４に示すように、大別すると、次の部分を備える。
【００６４】
（１）鍔部311
（２）筒部312
（３）挿入穴313
（４）弾性爪314
（５）仮止め部315
なお、グロメット310は、上記した（１）〜（５）に限定されない。
【００６５】
上記鍔部311には、図１４に示すように、軸受部316、差込溝317を有する。
前記挿入穴313内には、図１６に示すように、仮止め及び本止め兼用の凹凸部、すなわち一対の凸部318を設けている。
なお、仮止め及び本止め兼用の凹凸部としては、凸部318に限らず、凹部でも良い。
（ピン320）
ピン320は、図１４に示すように、大別すると、次の部分を備える。
【００６６】
（１）頭部321
（２）脚部322
なお、ピン220は、上記した（１）〜（２）に限定されない。
上記脚部322の途中には、図１に示すように、仮止め用及び本止め用の凹凸部、すなわち２個の凹部323〜224を設けている。
【００６７】
上記２個の凹部323〜324のうち、下側の凹部323が、図１８に示すように、仮止め用で、上側の凹部324が、図２０に示すように、本止め用である。
なお、仮止め用及び本止め用の凹凸部としては、凹部323〜324に限らず、凸部でも良い。また、脚部322の上下に２個の凹部323〜324を設けたが、逆にグロメット310の挿入穴313の上下に凸部を設けても良い。
（ダンパー330）
ダンパー330には、例えばオイルダンパーを使用し、アシストグリップ20cの回転軸21cに通して使用する。
（使用方法）
つぎに、上記した構成を備えた取付装置300の使用方法について、以下に説明する。
【００６８】
まず、ピン320の脚部322を、図１８〜１９に示すように、グロメット310の挿入穴313中に浅く挿入する。
脚部322を浅く挿入すると、図１８に示すように、その仮止め用の凹部323に、一対の凸部318がはまり込み、ピン320は、グロメット310に仮止めされる。
つぎに、グロメット310の一対の軸受部316の間隔内に、ダンパー330を位置させ、回転軸21cを一連に通して、グロメット310の両軸受部316に対して、アシストグリップ30cを回転可能に支持する。
【００６９】
その後、グロメット310の筒部311を、図１８〜１９に示すように、内装材30の内装穴31cに合わせて挿入する。
筒部311を挿入すると、その一対の仮止め部315は、内装穴31cを通過時に、挿入穴313内に一旦、撓み込み、内装穴31cを通過後、樹脂の弾性力により復元する。
【００７０】
このため、一対の仮止め部315が、図１８に示すように、内装材30の裏面に引っ掛かり、アシストグリップ20は、内装材30の内装穴31cに仮止めされる。
つぎに、内装穴31cから下方に突出した筒部311を、図１８〜１９に示すように、パネル40のパネル穴41bに合わせて挿入する。
筒部311を挿入すると、挿入穴313から下方に突出した一対の弾性爪314は、パネル穴41cを通過時に、挿入穴313内に一旦、撓み込み、パネル穴41cを通過後、樹脂の弾性力により復元する。
【００７１】
このため、一対の弾性爪314が、図１８に示すように、パネル40の裏面に引っ掛かり、アシストグリップ20cは、パネル40のパネル穴41cに仮止めされる。
最後に、ピン320を、図２０〜２１に示すように、挿入穴313中に深く挿入する。これにより、一対の弾性爪314が挿入穴313に向かって撓み込むのが阻止される。
【００７２】
このため、グロメット310が、パネル40のパネル穴41cから抜けなくなり、アシストグリップ20cは、取付装置300を介して、パネル40のパネル穴41cに本止めされる。
なお、最後に、アシストグリップ20cを取り付けるようにしても良い。
一方、アシストグリップ20cを外すには、図示しないが、差込溝317からマイナスのドライバーを差し込み、ピン320をこじ上げて、その後、グロメット310を引き抜けば良い。
（第四の実施の形態）
つぎに、図２２〜２５を用いて、本発明の第四の実施の形態について、以下に説明する。
【００７３】
本実施の形態の特徴は、図２２〜２３に示すように、フランジ状の仮止め部100dを、部品としてのアシストグリップ20dに設けている点である。
第二に、本実施の形態の特徴は、図２４に示すように、ドライバー110を差し込み可能な差込溝21dを、部品としてのアシストグリップ20d側に設けている点である。
【００７４】
なお、差込溝21dをアシストグリップ20d側に設けたが、これに限らず、ピン420の頭部421に設けても良い。
具体的には、取付装置300は、取付装置400は、図２３に示すように、グロメット410と、ピン420とを備える。
上記グロメット410は、例えば図２３に示すように、部品としてのアシストグリップ20dを保持し、内装穴31dを通してパネル穴41ｄに挿入されるものである。
【００７５】
なお、自動車用部品として、アシストグリップ20dを例示したが、これに限らず、ルームランプ、サンバイザーホルダー、ハンガーフック、ルーフコンソール（小物入れ）等でも良い。
前記ピン420は、図２３に示すように、グロメット410内に着脱可能に挿入されるものである。
【００７６】
前記グロメット410は、図２３に示すように、鍔部411と、筒部412と、挿入穴413と、弾性爪414とを備える。
上記筒部412は、図２３に示すように、鍔部411から延び、内装穴31dを通してパネル穴41dにはまり込むものである。
前記挿入穴413は、鍔部411から筒部412に一連に形成されたものである。
【００７７】
前記弾性爪414は、挿入穴413から外側に向かって弾性的に突出し、鍔部411との間でパネル40を保持するものである。
前記ピン420は、図２３に示すように、頭部421と、脚部422とを備える。
上記頭部421は、挿入穴413より大きいものである。
前記脚部422は、頭部421から延び、挿入穴413内に挿入されることで、弾性爪414が挿入穴413に向かって撓み込むのを阻止するものである。
【００７８】
一方、内装材30の内装穴31dは、図２５に示すように、長方形に形成されている。
また、アシストグリップ20dには、図２２〜２３に示すように、仮止め部100dを備えている。
上記仮止め部100dは、内装穴31dより小さい長方形に張り出している。
【００７９】
したがって、仮止め部100dを、図２５に示すように、内装材30の内装穴31dに合わせて挿入し、９０度回転することで、アシストグリップ20dを内装材30の内装穴31dに仮止めすることができる。
一方、アシストグリップ20dとピン420の頭部421との間には、図２４に示すように、差込溝21dを備えている。
【００８０】
上記差込溝21dは、図２４に示すように、ドライバー110を差し込み可能なものである。
なお、差込溝21dをアシストグリップ20d側に設けたが、これに限らず、ピン420の頭部421に設けても良い。
したがって、差込溝21dに、図２４に示すように、マイナスのドライバー110の刃先を差し込み、ピン420の頭部421をこじり上げることができる。
【００８１】
【発明の効果】
本発明は、以上のように構成されているので、以下に記載されるような効果を奏する。
（請求項１）
請求項１に記載の発明によれば、次のような効果を奏する。
【００８２】
すなわち、請求項１に記載の発明によれば、部品を内装材及びパネルに仮止めすることができる。
また、請求項１に記載の発明によれば、グロメットにピンを挿入することで、パネルに本止めできるばかりでなく、ピンを引き抜くことで、パネルから部品を取り外すことができる。
（請求項２）
請求項２に記載の発明によれば、上記した請求項１に記載の発明の効果に加え、次のような効果を奏する。
【００８３】
すなわち、請求項２に記載の発明によれば、グロメットを回転させることで、内装材の内装穴からのグロメットの抜けを防止することができる。
（請求項３）
請求項３に記載の発明によれば、上記した請求項１又は請求項２に記載の発明の効果に加え、次のような効果を奏する。
【００８４】
すなわち、請求項３に記載の発明によれば、グロメットを内装材にワンタッチで仮止めすることができる。
（請求項４）
請求項４に記載の発明によれば、上記した請求項１〜３のいずれか１項に記載の発明の効果に加え、次のような効果を奏する。
【００８５】
すなわち、請求項４に記載の発明によれば、ドライバーを使用して、ピンを容易に引き抜くことができる。
（請求項５）
請求項５に記載の発明によれば、上記した請求項１〜４のいずれか１項に記載の発明の効果に加え、次のような効果を奏する。
【００８６】
すなわち、請求項５に記載の発明によれば、ピンをグロメットに仮止めすることができる。
（請求項６）
請求項６に記載の発明によれば、上記した請求項１〜５のいずれか１項に記載の発明の効果に加え、次のような効果を奏する。
【００８７】
すなわち、請求項６に記載の発明によれば、グロメット本体の構造を簡便にすることができる。
（請求項７）
すなわち、請求項７に記載の発明によれば、部品を取付装置を用いて内装材に仮止めすることができるばかりでなく、部品の仮止め部を用いてパネルに仮止めすることができる。
（請求項８）
請求項８に記載の発明によれば、上記した請求項７に記載の発明の効果に加え、次のような効果を奏する。
【００８８】
すなわち、請求項８に記載の発明によれば、ドライバーを使用して、ピンを容易に引き抜くことができる。
【図面の簡単な説明】
【図１】  取付装置の分解斜視図である。
【図２】  アシストグリップの分解斜視図である。
【図３】  他方のグロメットを示す分解斜視図である。
【図４】  内装材に対するアシストグリップの取付状態を示す平面図である。
【図５】  内装材に対する取付装置の取付状態を示す斜視図である。
【図６】  本発明の第二の実施の形態の一例を示し、同図は取付装置の分解斜視図である。
【図７】  図６のアシストグリップの斜視図である。
【図８】  図７のＸ−Ｘ線に沿う分解断面図である。
【図９】  図７のＹ−Ｙ線に沿う分解断面図である。
【図１０】  図７のＸ−Ｘ線に沿う取付途中の断面図である。
【図１１】  図７のＹ−Ｙ線に沿う取付途中の断面図である。
【図１２】  図７のＸ−Ｘ線に沿う断面図である。
【図１３】  図７のＹ−Ｙ線に沿う断面図である。
【図１４】  本発明の第三の実施の形態の一例を示し、同図は取付装置の分解斜視図である。
【図１５】  図１４のアシストグリップの斜視図である。
【図１６】  図１５のＸ−Ｘ線に沿う分解断面図である。
【図１７】  図１５のＹ−Ｙ線に沿う分解断面図である。
【図１８】  図１５のＸ−Ｘ線に沿う取付途中の断面図である。
【図１９】  図１５のＹ−Ｙ線に沿う取付途中の断面図である。
【図２０】  図１５のＸ−Ｘ線に沿う断面図である。
【図２１】  図１５のＹ−Ｙ線に沿う断面図である。
【図２２】  本発明の第四の実施の形態の一例を示し、同図はアシストグリップの一部斜視図である。
【図２３】  本発明の第四の実施の形態の一例を示し、同図は取付装置の取付状態を示す断面図である。
【図２４】  本発明の第四の実施の形態の一例を示し、同図はピンの取り外し状態を示す一部斜視図である。
【図２５】  本発明の第四の実施の形態の一例を示し、同図は内装材に対するアシストグリップの取付手順を示す平面図である。
【符号の説明】
10  取付装置              20  アシストグリップ
21  回転軸                30  内装材
31  内装穴                32  内装穴
40  パネル                41  パネル穴
50  グロメット            51  グロメット
60  ピン                  61  頭部
62  脚部                  70  鍔部
71  軸受部                80  筒部
81  弾性爪                82  弾性爪
83  解除片                90  挿入穴
100  仮止め部
（第二の実施の形態）
20b  アシストグリップ     31b  内装穴
41b  パネル穴            200  取付装置
210  グロメット           220  ピン
221  頭部                 222  脚部
223  差込溝               224  凹部
225  凹部                 230  グロメット本体
231  枠部                 232  弾性爪
233  挿入穴               234  凸部
240  グロメット装着部     241  筒部
242  仮止め部             243  貫通穴
244  抜止部
（第三の実施の形態）
20c  アシストグリップ     21c  回転軸
31c  内装穴               41c  パネル穴
300  取付装置             310  グロメット
311  鍔部                 312  筒部
313  挿入穴               314  弾性爪
315  仮止め部             316  軸受部
317  差込溝               318  凸部
320  ピン                 321  頭部
322  脚部                 323  凹部
324  凹部                 330  ダンパー
（第四の実施の形態）
20d  アシストグリップ     21d  差込溝
31d  内装穴               32d  内装穴
41d  パネル穴            100d  仮止め部
110  ドライバー           400  取付装置
410  グロメット           411  鍔部
412  筒部                 413  挿入穴
414  弾性爪               420  ピン
421  頭部                 422  脚部
【図１】
0004344056.tif 000002
【図２】
0004344056.tif 000003
【図３】
0004344056.tif 000004
【図４】
0004344056.tif 000005
【図５】
0004344056.tif 000006
【図６】
0004344056.tif 000007
【図７】
0004344056.tif 000008
【図８】
0004344056.tif 000009
【図９】
0004344056.tif 000010
【図１０】
0004344056.tif 000011
【図１１】
0004344056.tif 000012
【図１２】
0004344056.tif 000013
【図１３】
0004344056.tif 000014
【図１４】
0004344056.tif 000015
【図１５】
0004344056.tif 000016
【図１６】
0004344056.tif 000017
【図１７】
0004344056.tif 000018
【図１８】
0004344056.tif 000019
【図１９】
0004344056.tif 000020
【図２０】
0004344056.tif 000021
【図２１】
0004344056.tif 000022
【図２２】
0004344056.tif 000023
【図２３】
0004344056.tif 000024
【図２４】
0004344056.tif 000025
【図２５】
0004344056.tif 000026